(57)【要約】      （修正有）【課題】介護者の負担を軽減することができ、被介護者にマイナスの影響が生じない移乗補助椅子を提供する。【解決手段】ベース１０と、２本のシャフト部材２０と、２つの回転フレーム３０と、第１締結部材４０と、２つの座板部材５０と、２つの手押しハンドル部材６０とを備え、ベースは、底部に複数のキャスタ部材１５が設けられ、２本のシャフト部材は、それぞれベースの対向する両側に直立して固設され、２つの回転フレームは、それぞれ２本のシャフト部材と互いに嵌設され、該各回転フレームは、いずれも、締結部３１と、延伸部３２と、嵌設部３３とを備え、該締結部は、該シャフト部材から遠い側に位置するとともに、もう一方の該回転フレームの締結部に隣接し、該延伸部は、該締結部から、もう一方の該回転フレームから離れる方向に延伸した後、該シャフト部材に向かって延伸し、該嵌設部は、該延伸部における該締結部から遠い側の一端に形成される。【選択図】図１
0003226653.tif 000002
【実用新案登録請求の範囲】
【請求項１】
ベースと、２本のシャフト部材と、２つの回転フレームと、第１締結部材と、２つの座板部材と、２つの手押しハンドル部材とを備え、
前記ベースは、底部に複数のキャスタ部材が設けられ、
前記２本のシャフト部材は、それぞれ前記ベースの対向する両側に直立して固設され、
前記２つの回転フレームは、それぞれ前記２本のシャフト部材と互いに嵌設され、該各回転フレームは、いずれも、締結部と、延伸部と、嵌設部とを備え、該締結部は、該シャフト部材から遠い側に位置するとともに、もう一方の該回転フレームの締結部に隣接し、該延伸部は、該締結部から、もう一方の該回転フレームから離れる方向に延伸した後、該シャフト部材に向かって延伸し、該嵌設部は、該延伸部における該締結部から遠い側の一端に形成され、下向きに延伸し、対応する該シャフト部材と互いに嵌設され、さらに固定部材によって該嵌設部と該シャフト部材とが位置決めされ、
前記第１締結部材は、前記２つの回転フレームの締結部を締結し、
前記２つの座板部材は、それぞれ前記２つの回転フレームの延伸部に固設されて該２つの回転フレームの間に位置し、前記ベースと間隔を空けて設けられ、
前記２つの手押しハンドル部材は、それぞれ前記２つの回転フレームの延伸部に固設され、前記シャフト部材から遠い側に位置する、
ことを特徴とする、移乗補助椅子。
【請求項２】
前記各シャフト部材は、いずれも、前記ベースに固設された固定パイプと、該固定パイプに挿入されて該固定パイプに固定される中シャフト部材とを備え、さらに該中シャフト部材には、上下に間隔を空けて配置された複数の挿入孔が設けられ、前記各回転フレームの嵌設部は、対応する該シャフト部材の中シャフト部材に外嵌され、該嵌設部には、径方向に対向する側にそれぞれ開口が設けられており、前記固定部材はピン部材を備え、該ピン部材は、該嵌設部の開口と該中シャフト部材の１つの挿入孔に差し込まれる、
ことを特徴とする、請求項１に記載の移乗補助椅子。
【請求項３】
前記各回転フレームの嵌設部の１つの開口が水平に延びている、
ことを特徴とする、請求項２に記載の移乗補助椅子。
【請求項４】
前記各座板部材は、もう一方の該座板部材に隣接する側に凹部が形成されている、
ことを特徴とする、請求項３に記載の移乗補助椅。
【請求項５】
前記各回転フレームの延伸部の頂端における前記締結部に近い部分に、背もたれ部材が固設され、前記２つの回転フレームの背もたれ部材は、第２締結部材によって締結される、
ことを特徴とする、請求項４に記載の移乗補助椅子。
【請求項６】
前記各回転フレームの延伸部の頂端における前記嵌設部に近い部分に、アームレストが固設される、
ことを特徴とする、請求項５に記載の移乗補助椅子。
【請求項７】
前記各回転フレームは、いずれも支持ホルダを備え、該支持ホルダは、該回転フレームの嵌設部における、前記座板部材よりも低い位置に固設され、支持フレームが、該２つの回転フレームの支持ホルダに取り外し可能に掛けられる、
ことを特徴とする、請求項６に記載の移乗補助椅子。
【請求項８】
前記各手押しハンドル部材は、いずれも前記回転フレームから上向きに延伸した後に、前記シャフト部材から離れる側に向かって延伸する、
ことを特徴とする、請求項７に記載の移乗補助椅。
【請求項９】
前記第１締結部材は、締結板と締結ボルトを備え、該締結板は、一方の前記回転フレームの締結部に固設されるとともに、もう一方の該回転フレームに向かって延伸し、該締結ボルトは、該もう一方の該回転フレームに接続されるとともに、該締結板に選択的に締結され、該締結ボルトは、位置決め管と、プルスタッドボルトと、戻しバネとを備え、該位置決め管は、該もう一方の該回転フレームに固設され、該プルスタッドボルトは該位置決め管に穿設され、該戻しバネは、該プルスタッドボルトと該位置決め管との間に設けられている、
ことを特徴とする、請求項８に記載の移乗補助椅子。
【請求項１０】
前記第２締結部材が締結ベルト部材である、
ことを特徴とする、請求項９に記載の移乗補助椅子。
【考案の詳細な説明】
【技術分野】
【０００１】
本考案は、介護者が被介護者を移動させる際の介護補助用具に関するものであり、特に、介護者が被介護者を楽に動かして、補助椅子とベッドの乗り移りをさせることが可能な介護補助用具に関するものである。
【背景技術】
【０００２】
従来の車椅子は、被介護者の介護に用いるにあたって、その人を車椅子と、ベッドや椅子、ソファ等の動かない場所との間で移動させる場合、いずれも介護者が乗り移りを補助する必要があり、介護者にとって大きな体力的負担となっているうえ、乗り移りをさせるときに、姿勢や力のかかり方が適切でないことによるけがも発生しやすかった。
【０００３】
上記の欠点を改善するため、図１１に示すように、介護者を補助し、負担を軽減することが可能な移乗補助椅子が従来より提案されている。この移乗補助椅子は、主に、ベース９１と、２本の縦ロッド９３と、２つの接続台９５と、２つの座板部材９５５とを備え、該２本の縦ロッド９３は、それぞれ該ベース９１の後側に立設され、いずれも後側に向かって延伸してハンドル部９３５を形成し、該２つの接続台９５は、それぞれ該２本の縦ロッド９３に連結され、後側で開口を形成するとともに、前側で互いに接続され、さらに相対的に開くことができ、該２つの座板部材９５５は、それぞれ該２つの接続台９５に固設される。介護者は、前記２つの接続台９５の接続を解除した後に、移乗補助椅子の前側を被介護者に向けて押し込み、その両足を前記ベース９１に乗せるとともに、前記座板部材９５５を被介護者とベッドとの間に差し入れ、最後にまた該接続台９５を互いに締結することで、ベッドから移乗補助椅子に楽に移動させることができる。
【０００４】
被介護者が移乗補助椅子に乗り移る際に、移乗補助椅子の後側と対向するため、介護者が移乗補助椅子を押すと、介護者と被介護者とが対向することになり、互いに圧迫感を感じるほか、被介護者に束縛感が生じ、また、介護者と体の接触を避けようとして、両手の置き方が制限された姿勢でいる必要がある。さらに、椅子が押されて移動している最中は、進む方向に背を向けることになり、介護者に視線が遮られて、不安な気持ちになりやすい。そのため、上記の移乗補助椅子は、介護者の負担を軽減するものの、被介護者にとってはマイナスの影響が生じやすく、改善が必要であった。
【考案の概要】
【考案が解決しようとする課題】
【０００５】
上記に鑑み、本考案は、介護者の負担を軽減することができ、被介護者にマイナスの影響が生じない移乗補助椅子を提供することを主な目的とする。
【課題を解決するための手段】
【０００６】
上記の目的を達成するため、本考案は移乗補助椅子を提供し、該移乗補助椅子は、ベースと、２本のシャフト部材と、２つの回転フレームと、第１締結部材と、２つの座板部材と、２つの手押しハンドル部材とを備え、
前記ベースは、底部に複数のキャスタ部材が設けられ、
前記２本のシャフト部材は、それぞれ前記ベースの対向する両側に直立して固設され、
前記２つの回転フレームは、それぞれ前記２本のシャフト部材と互いに嵌設され、該各回転フレームは、いずれも、締結部と、延伸部と、嵌設部とを備え、該締結部は、該シャフト部材から遠い側に位置するとともに、もう一方の該回転フレームの締結部に隣接し、該延伸部は、該締結部から、もう一方の該回転フレームから離れる方向に延伸した後、該シャフト部材に向かって延伸し、該嵌設部は、該延伸部における該締結部から遠い側の一端に形成され、下向きに延伸し、対応する該シャフト部材と互いに嵌設され、さらに固定部材によって該嵌設部と該シャフト部材とが位置決めされ、
前記第１締結部材は、前記２つの回転フレームの締結部を締結し、
前記２つの座板部材は、それぞれ前記２つの回転フレームの延伸部に固設されて該２つの回転フレームの間に位置し、前記ベースと間隔を空けて設けられ、
前記２つの手押しハンドル部材は、それぞれ前記２つの回転フレームの延伸部に固設され、前記シャフト部材から遠い側に位置する。
【０００７】
使用時には、介護者は、まず前記第１締結部材の締結を解除した後、前記固定部材による位置制限を解除し、前記回転フレームを、前記シャフト部材を軸心として回転させ、前記２つの回転フレームの締結部を分離させ、次に、移乗補助椅子を被介護者に向けて押し入れ、その両足を前記ベースに乗せた後、該２つの回転フレームを相対的に回転させるとともに、前記座板部材を被介護者の臀部とベッドとの間に横から差し入れ、最後に、該第１締結部材を再び締結して、該２つの回転フレームを接続することによって、被介護者をベッドから移乗補助椅子に楽に移動させることができる。
【０００８】
前記手押しハンドル部材が、前記回転フレームのシャフト部材から遠い側に固設されるため、介護者は被介護者の背後に立って移乗補助椅子を押すことができ、介護者と対向することによるマイナスの影響を避けることができるとともに、介護者の負担を軽減することが可能となり、さらに被介護者のマイナスの影響を避けることができる。
【図面の簡単な説明】
【０００９】
【図１】本考案の好ましい実施形態の外観斜視図である。
【図２】本考案の好ましい実施形態の別の外観斜視図である。
【図３】本考案の好ましい実施形態の分解斜視図である。
【図４】本考案の好ましい実施形態の回転フレームとシャフト部材の拡大側方断面図である。
【図５】本考案の好ましい実施形態の回転フレームとシャフト部材の拡大平面断面図である。
【図６】本考案の好ましい実施形態の第１締結部材の側面断面図である。
【図７】本考案の好ましい実施形態の拡大外観斜視図である。
【図８】本考案の好ましい実施形態の使用の模式図である。
【図９】本考案の好ましい実施形態の使用の模式図である。
【図１０】本考案の好ましい実施形態の側面図である。
【図１１】従来の移乗補助椅子の外観斜視図である。
【考案を実施するための形態】
【００１０】
図１〜図３に示すように、本考案の移乗補助椅子の好ましい実施形態は、ベース１０と、２本のシャフト部材２０と、２つの回転フレーム３０と、第１締結部材４０と、２つの座板部材５０と、２つの手押しハンドル部材６０とを備える。
【００１１】
前記ベース１０の底部に複数のキャスタ部材１５が設けられ、該キャスタ部材１５は該ベース１０の底部の四隅に１つずつ設けられる。なお、前側に位置する前記キャスタ部材１５は、ダブルローラのユニバーサル車輪とすることができ、後ろ側に位置する前記キャスタ部材１５は、シングルローラの単方向車輪とすることができ、さらに、該キャスタ部材１５にはいずれもブレーキストッパ１５５を設けることができ、該ブレーキストッパ１５５によって該キャスタ部材１５の回転を防ぐ。
【００１２】
前記ベース１０は、２つの側方板１１と、横ロッド１２と、２つのフットレスト１３とを備え、該横ロッド１２は該２つの側方板１１を接続するとともに、該ベース１０の前側に近くに位置し、該２つのフットレスト１３は、該ベース１０の前側に設けられて、該２つの側方板１１の間に位置するとともに、それぞれ該２つの側方板１１に枢接されることにより、該２つの側方板１１に対して回転させて立ち上げることができる。
【００１３】
前記２本のシャフト部材２０は、それぞれ、前記ベース１０の対向する両側における、該ベース１０の前側に近い位置に直立して固設され、それぞれ前記側方板１１に固設され、前記各シャフト部材２０は、それぞれ、該ベース１０に固設された固定パイプ２１と、該固定パイプ２１に挿入される中シャフト部材２３とを備え、該固定パイプ２１と該中シャフト部材２３は、挿入留め具によって接続される。
【００１４】
前記２つの回転フレーム３０は、それぞれ前記２本のシャフト部材２０と互いに嵌設され、該各回転フレーム３０は、主に複数のパイプ材を接続することにより構成される。前記各回転フレーム３０は、いずれも、締結部３１と、延伸部３２と、嵌設部３３とを備え、該締結部３１は、前記シャフト部材２０から遠い側に位置するとともに、もう一方の該回転フレーム３０の締結部３１に隣接し、該延伸部３２は、該締結部３１の頂端と底端から、もう一方の該回転フレーム３０から離れる方向に延伸した後、該シャフト部材２０に向かって延伸し、平面視でＬ字形を呈し、該嵌設部３３は、該延伸部３２における該締結部３１から遠い側の一端に形成され、下向きに延伸する。なお、前記嵌設部３３は、前記延伸部３２のうち頂端に位置するパイプ材を下向きに折り曲げて形成することができ、且つ該延伸部３２のうち底端のパイプ材が該嵌設部３３の外周に固接され、該嵌設部３３は、前記シャフト部材２０と互いに嵌設され、さらに固定部材３３５によって該嵌設部３３と該シャフト部材２０とが位置決めされ、該固定部材３３５はピン部材を備えていてよく、該ピン部材は、該嵌設部３３と該シャフト部材２０との間に差し込まれて、該回転フレーム３０と該ベース１０との相対位置を位置決めする。
【００１５】
図３〜図５に示すように、本実施形態において、前記嵌設部３３は、前記シャフト部材２０の中シャフト部材２３に外嵌され、該中シャフト部材２３には、上下に間隔を空けて配置された複数の挿入孔２３２を設けることができ、該嵌設部３３には、径方向に対向する側にそれぞれ開口３３２、３３４を設けることができ、前記固定部材３３５は、該嵌設部３３の開口３３２、３３４と、該中シャフト部材２３の挿入孔２３２の１つに挿入されて、前記回転フレーム３０と該シャフト部材２０とを連結し、また、該固定部材３３５を取り外して、該回転フレーム３０と前記ベース１０との相対的な高さを調節し、該回転フレーム３０の開口３３２、３３４を別の該挿入孔２３２に合わせて該固定部材３３５を挿入することにより、該回転フレーム３０と該ベース１０との相対的な位置を調節することができる。前記嵌設部３３の１つの開口３３２は水平に延びていることが好ましく、それによって、前記固定部材３３５全体を取り外すことなく、該固定部材３３５を前記回転フレーム３０の開口３３４から抜くだけで、該回転フレーム３０を前記シャフト部材２０に対して回転させることができる。
【００１６】
図２及び図６に示すように、前記第１締結部材４０は、前記２つの回転フレーム３０の締結部３１を締結し、締結板４１と締結ボルト４３を備え、該締結板４１は、一方の前記回転フレーム３０の締結部３１に固設されるとともに、もう一方の該回転フレーム３０に向かって延伸し、該締結板４１には締結溝４１２が設けられ、該締結ボルト４３は、該もう一方の該回転フレーム３０に接続されるとともに、該締結板４１の締結溝４１２に選択的に締結されて、該２つの回転フレーム３０を連結することができる。前記締結ボルト４３は、位置決め管４３１と、プルスタッドボルト４３３と、戻しバネ４３２とを備え、該位置決め管４３１は、前記回転フレーム３０に固設され、該プルスタッドボルト４３３は該位置決め管４３１に穿設されるとともに、前記締結板４１の締結溝４１２に選択的に締結され、該戻しバネ４３２は、該プルスタッドボルト４３３と該位置決め管４３１との間に設けられているため、該プルスタッドボルト４３３を引っ張ると、該戻しバネ４３２によって該プルスタッドボルト４３３を元の位置に戻すことができ、該プルスタッドボルト４３３を引っ張ることで該締結板４１と該プルスタッドボルト４３３との締結を解除することができる。
【００１７】
図１〜図３に示すように、前記２つの座板部材５０は、それぞれ前記２つの回転フレーム３０の延伸部３２に固設されて該２つの回転フレーム３０の間に位置し、前記ベース１０と間隔を空けて設けられ、該２つの座板部材５０は、該延伸部３２の底端のパイプ材に固定されるとともに、該各座板部材５０はいずれももう一方の該座板部材５０側に凹部５２が形成されている。前記２つの手押しハンドル部材６０は、それぞれ前記２つの回転フレーム３０の延伸部３２に固設され、前記シャフト部材２０から遠い側に位置し、いずれも該回転フレーム３０から上向きに延伸した後に、該シャフト部材２０から離れる側に向かって延伸する。
【００１８】
好ましくは、前記各回転フレーム３０には、それぞれ、前記延伸部３２の頂端における前記嵌設部３３に近い部分にアームレスト３２５が固設され、被介護者の両手を該アームレスト３２５に置くことができ、該各回転フレーム３０の延伸部３２の頂端における前記締結部３１に近い部分に、いずれも背もたれ部材３６が固設され、被介護者の背中を該背もたれ部材３６にもたれさせることができ、使用時の快適性を向上させる。図２及び図７に示すように、前記２つの背もたれ部材３６は、第２締結部材４５によって締結され、該第２締結部材４５は締結ベルト部材であってもよく、前記第１締結部材４０と該第２締結部材４５が同時に前記２つの回転フレーム３０を締結してもよく、それによって締結時の安定性を向上させる。
【００１９】
図７及び図８に示すように、使用時には、介護者は、まず前記第１締結部材４０と前記第２締結部材４５の締結を解除した後、前記固定部材３３５の位置決めを解除し、前記回転フレーム３０を前記シャフト部材２０に対して回転させるとともに、該シャフト部材２０を軸心として該２つの回転フレーム３０の締結部３１を枢動させて離し、次に移乗補助椅子を被介護者に向かって押し込み、その両足を前記ベース１０のフットレスト１３に乗せ、その後該２つの回転フレーム３０を相対的に回転させるとともに、前記座板部材５０を横方向から被介護者の臀部とベッドとの間に差し入れ、最後に該第１締結部材４０と該第２締結部材４５を締結することによって、該２つの回転フレーム３０を接続すれば、被介護者をベッドから移乗補助椅子に、楽に移動させることができる。
【００２０】
図９に示すように、前記手押しハンドル部材６０が前記回転フレーム３０のシャフト部材２０から遠い側に固設されるため、介護者は被介護者の背後に立って移乗補助椅子を押すことができ、対向を避けることができる。それにより、介護者と被介護者が対向することによるマイナスの影響を回避することができ、同時に介護者の負担を軽減するとともに、被介護者が不快な気持ちにならないようにすることができる。
【００２１】
図３に示すように、前記シャフト部材２０の複数の挿入孔２３２を利用し、前記回転フレーム３０と前記ベース１０との相対的な高さを調節して、前記座板部材５０の高さがベッドの高さに近くなるよう調節した後、移乗補助椅子を被介護者に向けて押し入れることで、本考案の移乗補助椅子を、様々な高さのベッドや椅子、ソファ等の動かない場所に適用することができる。
【００２２】
前記２つの座板部材５０には、いずれも、もう一方の該座板部材５０に向いた側に前記凹部５２が形成されており、被介護者が該座板部材５０に座った時に、臀部が該凹部５２の位置に対応するため、移乗補助椅子を直接トイレの便座まで押して、該座板部材５０を便座の上方に位置させることにより、被介護者は移乗補助椅子に着座したまま排泄をすることができる。
【００２３】
図２、図３及び図１０に示すように、前記各回転フレーム３０は、いずれも支持ホルダ３７を備え、該支持ホルダ３７は、前記嵌設部３３における、前記座板部材５０よりも低い位置に固設され、支持フレーム７０を、前記２つの回転フレーム３０の支持ホルダ３７に取り外し可能に掛けるとともに、該支持フレーム７０に便器８０を設置することができ、該便器８０の開口を該２つの座板部材５０の凹部５２と対向させることにより、被介護者が移乗補助椅子に着座したまま排泄をすることができる。また、前記２つの回転フレーム３０のうちの１つに点滴ホルダ３８を設けることもでき、点滴ハンガーを該点滴ホルダ３８に挿入すれば、点滴時に便利である。
【符号の説明】
【００２４】
１０        ベース
１１        側方板
１２        横ロッド
１３        フットレスト
１５        キャスタ部材
１５５      ブレーキストッパ
２０        シャフト部材
２１        固定パイプ
２３        中シャフト部材
２３２      挿入孔
３０        回転フレーム
３１        締結部
３２        延伸部
３２５      アームレスト
３３        嵌設部
３３２、３３４     開口
３３５      固定部材
３６        背もたれ部材
３７        支持ホルダ
３８        点滴ホルダ
４０        第１締結部材
４１        締結板
４１２      締結溝
４３        締結ボルト
４３１      位置決め管
４３２      戻しバネ
４３３      プルスタッドボルト
４５        第２締結部材
５０        座板部材
５２        凹部
６０        手押しハンドル部材
７０        支持フレーム
８０        便器
９１        ベース
９３        縦ロッド
９３５      ハンドル部
９５        接続台
９５５      座板部材
【図１】
0003226653.tif 000003
【図２】
0003226653.tif 000004
【図３】
0003226653.tif 000005
【図４】
0003226653.tif 000006
【図５】
0003226653.tif 000007
【図６】
0003226653.tif 000008
【図７】
0003226653.tif 000009
【図８】
0003226653.tif 000010
【図９】
0003226653.tif 000011
【図１０】
0003226653.tif 000012
【図１１】
0003226653.tif 000013